(57)【要約】  ワイヤーレスで、カップのずり上がりがなく鳩尾方向に寄せたバストを自然に押し上げて胸元に変形のない美しいデコルテを現出することができる画期的なブラジャーを提供する。  婦人下着Ａは、一対のカップ１２と、左右一対のカップ１２を内側端部で接続する接続部分Ｐ０からカップ１２の下辺１２ａの中間点Ｐ１に至る斜辺縫着部分１２ｅに、その斜辺１３ｂがそれぞれ縫着された略三角形の鳩尾被覆片１３と、前記下辺１２ａの中間点Ｐ１から下辺１２ａの外側端部Ｐ２に至る下辺脇側部分１２ｄ、及び鳩尾被覆片１３の底辺１３ａに対応し、所定の間隔を以って設けられた前身頃１４と、前記下辺脇側部分１２ｄ及び鳩尾被覆片１３の底辺１３ａと、前身頃１４との間に配設され、上記下辺脇側部分１２ｄ及び鳩尾被覆片１３の底辺１３ａと、前身頃１４とにそれぞれ縫着されて両者を接続する伸縮性テープ１７と、前身頃１４に接続された後身頃１６又は掛止具付きのベルト１６’と、カップ１２と後身頃１６又はベルト１６’に縫着された肩紐２０とで構成されている。
2018078673.tif 000002
【特許請求の範囲】
【請求項１】
左右一対のカップと、
左右一対のカップを内側端部で接続する接続部分からカップの下辺の中間点に至る斜辺縫着部分に、その斜辺がそれぞれ縫着された略三角形の鳩尾被覆片と、
前記下辺の中間点から下辺の外側端部に至る下辺脇側部分、及び鳩尾被覆片の底辺に対応し、所定の間隔を以って設けられた前身頃と、
前記下辺脇側部分及び鳩尾被覆片の底辺と、前身頃との間に配設され、上記下辺脇側部分及び鳩尾被覆片の底辺と、前身頃とにそれぞれ縫着されて両者を接続する伸縮性テープと、
前身頃に接続された後身頃又は掛止具付きのベルトと、
カップと後身頃又はベルトに縫着された肩紐とで構成されていることを特徴とする婦人下着。
【発明の詳細な説明】
【技術分野】
【０００１】
本発明は、例えば、ブラジャーやキャミソールのような左右一対のカップを有する婦人下着の改良に関する。
【背景技術】
【０００２】
自分の身体をより美しく、より綺麗に見せたいという要望は、女性にとって古今東西変わらぬ一大関心事である。とりわけ、バストの形を綺麗に見せたいという要望は強く、従来からブラジャーやキャミソールなど数多くのカップ付き婦人下着が下着メーカーによって開発され、提供されてきた。
処で、カップ付きの婦人下着（以下、その代表例としてブラジャーを取り上げて説明する。）には大きく分けて２つの種類がある。１つは、カップの下縁（通常、バージスラインに一致する箇所）にワイヤーを設けたワイヤー付きのブラジャーであり（特許文献１参照）、もう１つはこのようなワイヤーが存在しないワイヤーレス（ノンワイヤー）のブラジャーである（特許文献２参照）。【０００３】
ワイヤー付きのブラジャーは、カップの下縁に沿って設けられたワイヤーをバストのバージスラインに沿って宛てがうことによりバストを下方からしっかり支えてバストの形を美しく整え、しかも、長時間にわたってその美しいバスト形状を保持することが可能である。しかしながら、ワイヤーそのものが金属や樹脂等の硬い材質によって形成されているため、長時間の着用時にはワイヤーが肌に食い込んで着用者に苦痛を与えるという問題があった。【０００４】
一方、ワイヤーレスブラジャーの場合、肌に食い込むワイヤーが存在しないことからワイヤーレスブラジャーのカップのバージスラインに沿う部分は、ソフトタッチ感覚となり快適に着用することができる。それ故、ワイヤーレスブラジャーは特に中高年の婦人には好評で、最近ではワイヤーレスブラジャーがブラジャーの主流になりつつある。
しかしながら、ワイヤーレスブラジャーの着用感はワイヤー付きブラジャーに比べて格段に優れているものの、長時間着用していると、（これは特にバストサイズが大きな女性に顕著であるが）カップが少しずつ摺り上がってきて、着用時にせっかく綺麗に作ったバージスラインが崩れてしまい、バストの形が崩れてしまうという問題があった。【０００５】
その他、これはワイヤータイプのブラジャーとワイヤーレスのブラジャーとの双方における問題点であるが、着用時のフィット感の問題がある。即ち、バストサイズは各人で相違するが、メーカサイドでは、下着のサイズ（特に、カップサイズ）を個人に合わせた数だけ揃えることなど到底出来ず、ある程度のサイズで纏めざるを得ない。そうすると、カップサイズとバストサイズとの間で微妙なずれが生じざるを得ず、特に長時間着用していると違和感を与えフィット性と言う点で使用者の不満を解消することが出来なかった。【０００６】
勿論、カップサイズをきめ細かく設定することで着用感の改善効果はある程度見込めるものの、上記ずれに伴う不快感が完全に解消されるわけではないし、また、きめ細かなサイズ設定は、在庫管理が大変になってコストアップに繋がるという別の問題を招来する。そこで、このようなワイヤーレスブラジャーに対して、サイズを増やすことなくフィット性を高めたワイヤーレスブラジャーが提案された（特許文献３  添付図６参照）。【０００７】
特許文献３に記載のワイヤーレスブラジャー１００は、伸縮性の布地で構成された左右一対のカップ１２０と、カップ１２０のそれぞれの下辺１２０ａに合わせて設けられた土台布１４０（前身頃）と、カップの下辺１２０ａ及び土台布１４０のカップ対応縁１８０ａとにそれぞれ縫合されて両者をその全長に亘って間接的に接続する、細長いメッシュテープにて構成される伸縮性テープ１７０、後身頃４００及び肩紐２００とで構成されている。【０００８】
この伸縮性テープ１７０は、肩から鳩尾（みぞおち）に至るカップ１２０の下辺１２０ａと土台布１４０のカップ対応縁１８０ａとの間に配設され、それぞれに縫着されている（図６）。
この伸縮性テープ１７０は、バージスラインＶ全体に沿い、且つこれに同部分に柔らかく入り込み、ワイヤーレスであるにも拘わらず、カップ１２０のずり上がりを防止してバストを下から支えている。
そして、前記伸縮性テープ１７０はその長手方向及びバージスラインＶに直角な方向に強い弾性をもって伸縮するので、バストサイズが大きい場合にはバストに合わせて伸縮性テープ１７０が伸び、バストサイズが小さい場合には縮んで（或いは小さい伸びで）バストにフィットする。
これにより、バストの大小に拘わらず、ある程度の範囲内では１つのサイズでカバーでき、ブラジャー１００のサイズを少なくすることが出来て在庫管理が簡単になる。【０００９】
しかしながら、ブラジャー１００にはカップ１２０がずり上がらない状態でバストを下から支えるという機能だけでなく、カップ１２０内に収納されたバストを内側に寄せ且つ上に吊り上げ、胸元に美しい谷間を強調したデコルテラインＤを作ることも要求される。そのためにはバストのボリュームアップを図る必要があり、従来のブラジャー１００では脇から贅肉を寄せてカップ１２０内に入れ込み、本来のバストと一体化させて上記のように内側に寄せて上に吊り上げることが行われている。【００１０】
このブラジャー１００を着用すると肩紐２００の吊り上げ作用により、鳩尾部分に位置するカップ１２０の接続部分Ｐｊを中心に、カップ１２０の外側が肩紐２００によって吊り上げられ、その反作用で太い矢印Ｆ１で示すようにカップ１２０内のバストが鳩尾方向に押しやられる。
このワイヤーレスブラジャー１００の伸縮性テープ１７０は、カップ１２０の下辺１２０ａ全体に（即ち、左右のカップ１２０の肩紐縫着部Ｐｕから「鳩尾部分」に位置する接続部分Ｐｊまで）縫着されているため、鳩尾方向に押し込まれたバストによりこの部分の鳩尾部分の伸縮性テープ１７０が上下方向の矢印Ｆ２にて示すように大きく伸び、その結果、細い上向きの矢印Ｆ３で示すようにバストを上方に押し上げる力が弱くなり、ボリュームのあるきれいなデコルテラインＤを描かせるまでには至らなかった。【００１１】
なお、鳩尾方向に押し込まれたバストを上方に押し上げてデコルテラインＤを形成するワイヤーレスブラジャー１１０として特許文献４（図７〜９）に示すような発明が提案されている。
この発明では、カップ１２０を構成する鳩尾側のパネル内面に三角形の隆起部１９０が形成され、この隆起部１９０に鳩尾方向に押し込まれたバストを押し付けて該部分のバストを上方に押し上げ、デコルテラインＤを形成することが開示されている。
この方法でもデコルテラインＤの形成はそれなりに可能であるが、鳩尾近傍に設けられている三角形の隆起部１９０が、鳩尾部分のバストを押圧変形させるので、当該押圧部分である、鳩尾部分のデコルテラインＤが押し込みにより若干変形し、この変形部分Ｄｈが外部に現れやすい。この部分を図７の薄墨で示す。なお、このワイヤーレスブラジャー１１０は後身頃４００の代わりに掛け止め具付きのベルト４００’が設けられている。
【先行技術文献】
【特許文献】
【００１２】
【特許文献１】特開２００８−２７４５３８号公報（図１）
【特許文献２】特開２００８−１６３４９０号公報（図１）
【特許文献３】特開２０１０−２７５６６０号公報
【特許文献４】特許第５５２０４２１号公報
【発明の概要】
【発明が解決しようとする課題】
【００１３】
本発明は、上記従来例に鑑みてなされたもので、ワイヤーレスで、カップのずり上がりがなく鳩尾方向に寄せたバストを自然に押し上げて胸元に変形のない美しいデコルテを現出することができる画期的なブラジャーを提供することを課題とする。
【課題を解決するための手段】
【００１４】
請求項１に記載した発明は、
左右一対のカップ１２と、
左右一対のカップ１２を内側端部で接続する接続部分Ｐ０からカップ１２の下辺１２ａの中間点Ｐ１に至る斜辺縫着部分１２ｅに、その斜辺１３ｂがそれぞれ縫着された略三角形の鳩尾被覆片１３と、
前記下辺１２ａの中間点Ｐ１から下辺１２ａの外側端部Ｐ２に至る下辺脇側部分１２ｄ、及び鳩尾被覆片１３の底辺１３ａに対応し、所定の間隔を以って設けられた前身頃１４と、
前記下辺脇側部分１２ｄ及び鳩尾被覆片１３の底辺１３ａと、前身頃１４との間に配設され、上記下辺脇側部分１２ｄ及び鳩尾被覆片１３の底辺１３ａと、前身頃１４とにそれぞれ縫着されて両者を接続する伸縮性テープ１７と、
前身頃１４に接続された後身頃１６又は掛止具付きのベルト１６’と、
カップ１２と後身頃１６又はベルト１６’に縫着された肩紐２０と、
で構成されている、ことを特徴とする婦人下着Ａである。
【発明の効果】
【００１５】
上記構成において、伸縮性テープ１７の一部がカップ１２の下辺脇側部分１２ｄに縫着されているので、カップ１２に収納されたバストに対応して伸縮し、フィット性を高めると同時にこの部分のバージスラインＶに入り込むので、カップ１２のずり上がりを防止できた。これに加えて鳩尾被覆片１３の底辺１３ａに縫着されている伸縮性テープ１７が中間点Ｐ１に於いて左右カップ１２に接続されているので、カップ１２に収納されているバストを効果的に鳩尾方向に寄せることが出来た。
また、鳩尾被覆片１３の斜辺１３ｂがカップ１２の斜辺縫着部分１２ｅにそれぞれ縫着されているので、肩紐２０による左右の肩方向への図１に示す引き上げ力Ｆ６の、前記斜辺１３ｂに発生する合成力Ｆ７によって鳩尾被覆片１３は上方に持ち上げられ、鳩尾方向に押しやられたバストＢｍは鳩尾被覆片１３によって上に持ち上げられる。この時、鳩尾被覆片１３の斜辺１３ｂは当該部分のバストＢｍ全体を変形させることなく持ち上げるため、従来にない自然なデコルテラインＤを形成させることが出来た。
【図面の簡単な説明】
【００１６】
【図１】本発明の第１実施例にかかる婦人下着を着用した状態を示す斜視図である。
【図２】図１にかかる婦人下着を裏側から見た状態を示す一部切欠背面図である。
【図３】図１の中央縦断面斜視図である。
【図４】本発明の第２実施例にかかる婦人下着の正面図である。
【図５】本発明の第３実施例にかかる婦人下着（キャミソール）を着用した状態を示す斜視図である。
【図６】従来のブラジャーを着用した状態を示す斜視図である。
【図７】他の従来のブラジャーを着用した状態を示す正面図である。
【図８】図７のブラジャーの内側の部分拡大斜視図である。
【図９】図７のブラジャーの内側のバストの変形を示す水平断面図である。
【発明を実施するための形態】
【００１７】
以下、本発明を図面に従って説明する。本発明が適用された婦人下着Ａは、ブラジャー１０やキャミソール１０’のように一対のカップ１２を有する下着である。以下、ブラジャー１０を代表例として説明する。
図１〜図３に示すブラジャー１０（第１実施例）は、左右一対のカップ１２、鳩尾被覆片１３、前身頃１４、後身頃１６、伸縮性テープ１７、肩紐２０、及び必要に応じて設けられる上辺テープ１９と脇布２４とで大略構成されている。
【００１８】
カップ１２は、例えば、ポリウレタン弾性繊維を用いた布を金型成形した、バストを覆う１枚物の椀状パーツで形成される。或いはカップ１２は、図５のようにバストの上側を横長に覆う帯状の上辺被覆片１２ｘと、バストの下側を横長に覆う下部被覆片１２ｚと、上辺被覆片１２ｘと下部被覆片１２ｚの間に設けられた帯状の中段被覆片１２ｙの３パーツで椀状に構成されもよい。
カップ１２は、縦横に弾性をもって伸縮するが、縦方向より横方向の方が伸びやすくなっている。
また図示していないが、発泡シートの片面（或いは両面）に布地を張り付けた布地付き発泡シート材を用い、布地付き発泡シート材の布地側を表面にしてこれを椀状に金型形成してカップ１２としたものでも良い。
【００１９】
カップ１２の形状は、図１、２に示すように貝殻状或いは紡錘状で、内側端部で接続され、その上辺１２ｕは左右のカップ１２の前記接続部分Ｐ０から斜め上外方向に伸びて肩紐縫着部１２ｓに至る。前記上辺１２ｕは大きな半径で凸円弧状に形成されている。一方、カップ１２の下辺１２ａは上辺１２ｕより小さな半径で下外方に向けて凸円弧状に形成されている。
【００２０】
第１実施例の下辺１２ａの外側端部Ｐ２は、上辺１２ｕの上端部分に設けられる肩紐縫着部１２ｓに一致しておらず、袖ぐりの前側に至る。従って、図の場合は、接続部分Ｐ０から袖ぐりの前側の外側端部Ｐ２が下辺１２ａとなる。下辺１２ａの形状は、勿論、これに限られず、外側端部Ｐ２を肩紐縫着部１２ｓまで持ち上げてもよい。
そして、下辺１２ａと後述する鳩尾被覆片１３の底辺１３ａの端部との接合点を下辺１２ａの中間点Ｐ１とする。
本実施例では、外側端部Ｐ２は肩紐縫着部１２ｓから離れた位置に設けられており、外側端部Ｐ２と肩紐縫着部１２ｓとの間の辺をカップ１２の外側辺１２ｂとする。
【００２１】
図２に示すように、カップ１２の裏側にはポケット布１２ｎが取り付けられ、ポケットは円椀状で弾力性を有するパッド１２ｐを収納できるようになっている。ポケット布１２ｎの材質はカップ１２と同様縦横に弾性を持って伸縮するポリウレタン弾性繊維布で、カップ１２と同様、椀状に金型成形した１枚もの、或いは３枚仕立てで椀状に構成してもよい。ポケット布１２ｎも縦方向より横方向の方が伸びやすくなっている。
【００２２】
ポケット布１２ｎにて形成されたポケットは、折り畳んだパッド１２ｐを出し入れ可能な出入口１２ｏが設けられており、出入口１２ｏの幅は二つに折り畳んだパッド１２ｐを出し入れ可能な幅があれば足る。カップ１２のポケットは奥が広く、折り畳んだパッド１２ｐを内部で広げて収納できるようになっている。
出入口１２ｏは、カップ１２の上辺１２ｕの肩紐縫着部１２ｓ近傍位置から、下辺１２ａの外側端部Ｐ２を結ぶ線に合わせて設けられており、ポケット布１２ｎのそれ以外の部分はカップ１２の外周に縫着されている。なお、上記ポケット布１２ｎ及びパッド１２ｐは必要に応じて設けることが出来、例えば、カップ１２が布付きの発泡シート部材成形品のような場合、これらを省略することが出来る。
【００２３】
パッド１２ｐは、発泡生地の両面に布地を張り付けた素材を椀状に金型成形し、円形に裁断したものである。パッド１２ｐの中央が最も厚肉に形成され、周囲に向かうに連れて薄肉となるように形成されている。バストのサイズに合わせて種々の厚みや大きさのものが用意されている。
【００２４】
二等辺三角形の鳩尾被覆片１３は、弾性を持って縦横に伸縮するポリウレタン弾性繊維布で形成され、その斜辺１３ｂは、カップ１２の接続部分Ｐ０から下辺１２ａの中間点Ｐ１至る斜辺縫着部分１２ｅにそれぞれ縫着されている。当該部分には後述する上辺テープ１９が設けられる場合には、上辺テープ１９の当該部分が共に縫着される。
鳩尾被覆片１３は１枚使いで胸廻り（横）方向より縦方向の方がよく伸びるように縫着されている。
【００２５】
前身頃１４は、図１〜３の実施例では、上部土台布１４ａと下部土台布１４ｂとで構成されている。勿論、前身頃１４は、上部土台布１４ａと下部土台布１４ｂを合わせた１枚ものでも良いが、ここでは、上下２パーツに分割されている場合を中心に説明する。
上部土台布１４ａの上縁は、図１、２から分かるように、鳩尾被覆布１３の底辺１３ａ、及び左右の下辺脇側部分１２ｄに対応するＵ形の対応辺１４ｔと、外側端部Ｐ２から脇の後身頃１６との縫着線１８の上端Ｐ３に至る脇傾斜辺１４ｈとで構成されている。
上部土台布１４ａの下縁は、直線で下部土台布１４ｂに接続されている。上部土台布１４ａは１枚使いで弾性を持って縦横に伸縮するポリウレタン弾性繊維布で形成されている。上部土台布１４ａの伸び方向は横方向（胴体廻り方向）の方が縦方向より大きく伸びる。
【００２６】
下部土台布１４ｂも弾性を持って縦横に伸縮するポリウレタン弾性繊維布で形成され、同様に伸び方向は横方向（胴体廻り方向）の方が縦方向より大きく伸びる。そして、下部土台布１４ｂは二重布使いで、折り畳み端が下縁に配置され、二重に重ね合わされた上縁が上部土台布１４ａの下縁に弾性を持って横方向（胴体廻り方向）に伸縮可能に縫着されている。
【００２７】
伸縮性テープ１７は、接続された左右一対のカップ１２及びその間に設けられた鳩尾被覆布１３と、一定の間隔を設けて配置された上部土台布１４ａの上縁とを連結して、従来のワイヤーの代用となると同時に伸縮してバスト収納調整機能を有するものである。
カップ１２との縫着部分は下辺脇側部分１２ｄで、中間点Ｐ１を超えると鳩尾被覆布１３の底辺１３ａに縫着される。
伸縮性テープ１７は、本実施例では長手方向に対して斜めに配置された太い伸縮繊維が交差するメッシュテープを使用している。勿論、伸縮性テープ１７にはメッシュテープに限られるものでなく、長手方向とその直角方向（短手方向）に同様の弾性を持って伸縮する素材であれば適用できる。
伸縮性テープ１７の伸び率は、長手方向より短手（長手方向に対して直角な）方向が大である。そして、伸縮性テープ１７の伸びの強さは、長手方向の方が短手方向より大である。即ち、着用時、伸縮性テープ１７は短手方向方向の方が小さい力で大きく伸び、バストに対する適合性が高くし、且つ強い張力でカップ１２を内側に引き寄せるようになっている。
【００２８】
後身頃１６は、背中を覆う上部後身頃１６ａと上部後身頃１６ａの下縁に縫着された下部後身頃１６ｂとで構成され、後身頃１６は脇の部分で前身頃１４と縫着され、縫着線１８を形成する。
後身頃１６の素材は、弾性を持って縦横に伸縮するポリウレタン弾性繊維布で形成され、上部後身頃１６ａ及び下部後身頃１６ｂは共に横方向（胴回り方向）が縦方向より大きく伸びるようになっている。
上部後身頃１６ａは上部土台布１４ａと同様で１枚使いである。下部後身頃１６ｂも下部土台布１４ｂと同様二重布使いで、折り畳み端が下縁に配置され、二重に重ね合わされた上縁が上部土台布１４ａの下縁に弾性を持って横方向に伸縮可能に縫着されている。
【００２９】
肩紐２０は、カップ１２の上に伸びた肩紐縫着部１２ｓと、上部後身頃１６ａの上辺から上に伸びた肩紐接続片１６ｈとの間に設けられ、その端部がそれぞれ縫着されている。肩紐２０は、通常の紐でもよいが、ここでは二重布使いで長手方向が短手方向より大きく伸びる。
【００３０】
上辺テープ１９はブラジャー１０の前面でカップ１２の上辺１２ｕから鳩尾被覆片１３の斜辺１３ｂにかけて交差して設けられる。上辺テープ１９は二重布使いで、弾性を持って縦横に伸縮するポリウレタン弾性繊維布で形成され、伸び方向は長手方向の方がこれに直角な方向（短手方向）縦方向より大きく伸びる。
ここで、上辺テープ１９が縫着される一方のカップ１２の上辺１２ｕと、他方のカップ１２の斜辺縫着部分１２ｅに縫着される鳩尾被覆片１３の斜辺１３ｂとで構成される傾斜辺をテープ縫着辺１５とする。テープ縫着辺１５はブラジャー１０の前面、即ち、鳩尾被覆片１３の頂点（この部分は接続部分Ｐ０に一致する）で交差し、一方のカップ１２の肩紐縫着部１２ｓから他方のカップ１２の下辺１２ａの中間点Ｐ１に至る。
上辺テープ１９を構成する布の重ね合わせ縁１９ａが上記のようにこのテープ縫着辺１５に縫着され、中間点Ｐ１において伸縮性テープ１７の上縁に至る。一方、その反対の折り畳み縁１９ｂは縫着されずフリーで折り畳まれた状態となっている（図３参照）。
上辺テープ１９の折り畳み縁１９ｂは縫着されず単に折り畳み状態となっているので、カップ１２の折り畳み縁１９ｂに於いて余分な力をバストに及ぼさずソフトなタッチで接触するだけなので、バストのデコルテラインＤの形を損なうようなことがない。そして上辺テープ１９は交差部分であるカップ１２の接続部分Ｐ０において、全幅にて互いに縫着・拘束されている。
【００３１】
脇布２４は必要に応じて設けられるもので、脇布２４は半月状のもので吸湿性に優れ、且つ縦横に同等の強さで伸びる布の２重布使いで、カップ１２の肩紐縫着部１２ｓから外側端部Ｐ２、及び前身頃１４と後身頃１６との縫着線１８の上端Ｐ３に至る前側袖ぐり辺２２に縫着されている。脇布２４の幅方向の端部は縫着線１６ａの上端Ｐ３を越えて後身頃１６まで入り込んで縫着されている。
【００３２】
次に、このブラジャー１０を着用した場合に付いて説明する。着用者は自己の体形及びバストに合わせてこのブラジャー１０とパッド１２ｐとを選定し、パッド１２ｐをブラジャー１０のポケットに収納する。
次にこのブラジャー１０を着用し、脇から背中にかけての贅肉をバスト側に寄せ集め、本来のバストと一緒にカップ１２内に収納する。
カップ１２の外側端部Ｐ２からカップ１２の中間点Ｐ１に至る部分に縫着された伸縮性テープ１７は収納されたバストのボリュームに合わせて縦横に伸び、且つ伸縮性テープ１７の当該部分が外側端部Ｐ２から中間点Ｐ１に至るバージスラインＶにソフトに入り込み、薄墨で示す外側端部Ｐ２から中間点Ｐ１に沿うカップ１２の脇側部分１２ｗが当該部分のバストを下から包み込むようにしてサポートする。
【００３３】
そして肩紐２０はカップ１２の肩紐縫着部１２ｓに接続されてカップ１２の外側を吊り上げており、この吊り上げ力Ｆ４によってカップ１２に収納された前記脇側部分１２ｗにサポートされている部分が矢印Ｆ５に示すように胸元側へ寄せられる（図１）。
同時に鳩尾被覆片１３の底辺１３ａに縫着されている伸縮性テープ１７が着用により引き伸ばされて張力が生じ、この部分の伸縮性テープ１７が前記バージスラインＶへの食い込みを助け、且つバストと共にカップ１２の脇側部分１２ｗを鳩尾側に引き寄せる。
【００３４】
一方、鳩尾部分では、鳩尾被覆片１３が配設され、その斜辺１３ｂがカップ１２の接続部分Ｐ０から中間点Ｐ１に至る斜辺縫着部分１２ｅにそれぞれ縫着されているので、肩紐２０によってカップ１２の上辺１２ｕに沿う部分は鳩尾側から肩に向かって斜め上方に引き上げられる。この引き上げ力Ｆ６は鳩尾被覆片１３の両斜辺１３ｂにそれぞれ加わるため、水平方向の分力は相殺されてゼロとなり、上方向の合成力Ｆ７のみが残る。その結果、この合成力Ｆ７によって鳩尾被覆片１３は上に持ち上げられることになる。
鳩尾被覆片１３の底辺１３ａには上下方向の伸縮性に富む伸縮性テープ１７が縫着されているので、鳩尾被覆片１３の持ち上がりを阻害しない。
【００３５】
また、上記のように鳩尾被覆片１３は、その底辺１３ａに於いて伸縮性テープ１７により引き締められているため、着用者の鳩尾にぴったりと沿い、鳩尾被覆片１３の斜辺１３ｂが縫着されたカップ１２の斜辺縫着部分１２ｅが着用者のこの部分のバージスラインＶに沿う。
そして上記のように鳩尾被覆片１３が上に引き上げられると、鳩尾側に寄せられたバストはバストの斜辺縫着部分１２ｅに沿う薄墨で示す部分Ｂｍがカップ１２の当該部分によって包み込まれるように、そして当該部分のバストＢｍ全体が変形させられることなく上に持ち上げられ、自然なデコルテラインＤを形成する。
【００３６】
なお、上辺テープ１９は、上記のようにカップ１２の上辺１２ｕから鳩尾被覆片１３の斜辺１３ｂに至るテープ縫着辺１５にそれぞれ縫着されて既述のようにカップ１２の接続部分Ｐ０で交差している。そしてその交差部分で互いに縫着され、且つ、長手方向に弾力性を有して伸縮するので、着用時、上記引き上げ力Ｆ６を加勢する働きをなす。
【００３７】
図４は本発明の第２実施例で、後身頃１６の代わりに掛止具付きのベルト１６’が設けられた例であり、図５は本発明の第３実施例で、キャミソール１０’に適用した例である。いずれも第１実施例と同様の作用効果を示す。
【符号の説明】
【００３８】
Ａ：婦人下着、Ｂｍ：（鳩尾方向に押しやられた）バスト、Ｄ：デコルテライン、Ｄｈ：変形部分、Ｐ０：接続部分、Ｐ１：中間点、Ｐ２：外側端部、Ｐ３：縫着線の上端、Ｐｊ：接続部分、Ｐｕ：肩紐縫着部、Ｆ１・Ｆ２・Ｆ３：矢印、Ｆ４：吊り上げ力、Ｆ５：矢印、Ｆ６：引き上げ力、Ｆ７：合成力、Ｖ：バージスライン、１０：ブラジャー、１０’：キャミソール、１２：カップ、１２ａ：下辺、１２ｂ：外側辺、１２ｄ：下辺脇側部分、１２ｅ：斜辺縫着部分、１２ｎ：ポケット布、１２ｏ：出入口、１２ｐ：パッド、１２ｓ：肩紐縫着部、１２ｕ：上辺、１２ｗ：脇側部分、１２ｘ：上辺被覆片、１２ｙ：中段被覆片、１２ｚ：下部被覆片、１３：鳩尾被覆片、１３ａ：底辺、１３ｂ：斜辺、１４：前身頃、１４ａ：上部土台布、１４ｂ：下部土台布、１４ｈ：脇傾斜辺、１４ｔ：対応辺、１５：テープ縫着辺、１６：後身頃、１６ａ：上部後身頃、１６ｂ：下部後身頃、１６ｈ：肩紐接続片、１６’：掛止具付きのベルト、１７：伸縮性テープ、１８：縫着線、１９：上辺テープ、１９ａ：重ね合わせ縁、１９ｂ：折り畳み縁、２０：肩紐、２２：前側袖ぐり辺、２４：脇布、１００・１１０：従来のワイヤーレスブラジャー、１２０：カップ、１２０ａ：下辺、１４０：土台布（前身頃）、１７０：伸縮性テープ、１８０ａ：カップ対応縁、１９０：隆起部、２００：肩紐、４００：後身頃、４００’：ベルト。
【図１】
2018078673.tif 000003
【図２】
2018078673.tif 000004
【図３】
2018078673.tif 000005
【図４】
2018078673.tif 000006
【図５】
2018078673.tif 000007
【図６】
2018078673.tif 000008
【図７】
2018078673.tif 000009
【図８】
2018078673.tif 000010
【図９】
2018078673.tif 000011
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
左右一対のカップと、
左右一対のカップを内側端部で接続する接続部分からカップの下辺の中間点に至る斜辺縫着部分に、その斜辺がそれぞれ縫着された略三角形の鳩尾被覆片と、
前記下辺の中間点から下辺の外側端部に至る下辺脇側部分、及び鳩尾被覆片の底辺に対応して設けられた前身頃と、
前記下辺脇側部分及び鳩尾被覆片の底辺と、前身頃との間に配設され、上記下辺脇側部分及び鳩尾被覆片の底辺と、前身頃とにそれぞれ縫着されて両者を接続する伸縮性テープと、
前身頃に接続された後見頃又は掛止具付きのベルトと、
カップと後見頃又はベルトに縫着された肩紐と、
ブラジャーの前面でカップの上辺から鳩尾被覆片の斜辺にかけて交差して設けられた上辺テープとで構成されていることを特徴とする婦人下着。
【手続補正２】
【補正対象書類名】明細書
【補正対象項目名】００１４
【補正方法】変更
【補正の内容】
【００１４】
請求項１に記載した発明は、
左右一対のカップ１２と、
左右一対のカップ１２を内側端部で接続する接続部分Ｐ０からカップ１２の下辺１２ａの中間点Ｐ１に至る斜辺縫着部分１２ｅに、その斜辺１３ｂがそれぞれ縫着された略三角形の鳩尾被覆片１３と、
前記下辺１２ａの中間点Ｐ１から下辺１２ａの外側端部Ｐ２に至る下辺脇側部分１２ｄ、及び鳩尾被覆片１３の底辺１３ａに対応して設けられた前身頃１４と、
前記下辺脇側部分１２ｄ及び鳩尾被覆片１３の底辺１３ａと、前身頃１４との間に配設され、上記下辺脇側部分１２ｄ及び鳩尾被覆片１３の底辺１３ａと、前身頃１４とにそれぞれ縫着されて両者を接続する伸縮性テープ１７と、
前身頃１４に接続された後見頃１６又は掛止具付きのベルト１６’と、
カップ１２と後見頃１６又はベルト１６’に縫着された肩紐２０と、
ブラジャー１０の前面でカップ１２の上辺１２ｕから鳩尾被覆片１３の斜辺１３ｂにかけて交差して設けられた上辺テープ１９とで構成されている、ことを特徴とする婦人下着Ａである。
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
左右一対のカップと、
左右一対のカップを内側端部で接続する接続部分からカップの下辺の中間点に至る斜辺縫着部分に、その斜辺がそれぞれ縫着された略三角形の鳩尾被覆片と、
前記下辺の中間点から下辺の外側端部に至る下辺脇側部分、及び鳩尾被覆片の底辺に対応して設けられた前身頃と、
前記下辺脇側部分及び鳩尾被覆片の底辺と、前身頃との間に配設され、上記下辺脇側部分及び鳩尾被覆片の底辺と、前身頃とにそれぞれ縫着されて両者を接続する伸縮性テープと、
前身頃に接続された後見頃又は掛止具付きのベルトと、
カップと後見頃又はベルトに縫着された肩紐と、
ブラジャーの前面でカップの上辺から鳩尾被覆片の斜辺にかけて交差して設けられ、長手方向に伸縮する上辺テープとで構成されていることを特徴とする婦人下着。
【手続補正２】
【補正対象書類名】明細書
【補正対象項目名】００１４
【補正方法】変更
【補正の内容】
【００１４】
請求項１に記載した発明は、
左右一対のカップ１２と、
左右一対のカップ１２を内側端部で接続する接続部分Ｐ０からカップ１２の下辺１２ａの中間点Ｐ１に至る斜辺縫着部分１２ｅに、その斜辺１３ｂがそれぞれ縫着された略三角形の鳩尾被覆片１３と、
前記下辺１２ａの中間点Ｐ１から下辺１２ａの外側端部Ｐ２に至る下辺脇側部分１２ｄ、及び鳩尾被覆片１３の底辺１３ａに対応して設けられた前身頃１４と、
前記下辺脇側部分１２ｄ及び鳩尾被覆片１３の底辺１３ａと、前身頃１４との間に配設され、上記下辺脇側部分１２ｄ及び鳩尾被覆片１３の底辺１３ａと、前身頃１４とにそれぞれ縫着されて両者を接続する伸縮性テープ１７と、
前身頃１４に接続された後見頃１６又は掛止具付きのベルト１６’と、
カップ１２と後見頃１６又はベルト１６’に縫着された肩紐２０と、
ブラジャー１０の前面でカップ１２の上辺１２ｕから鳩尾被覆片１３の斜辺１３ｂにかけて交差して設けられ、長手方向に伸縮する上辺テープ１９とで構成されている、ことを特徴とする婦人下着Ａである。
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
左右一対のカップと、
左右一対のカップを内側端部で接続する接続部分からカップの下辺の中間点に至る斜辺縫着部分に、その斜辺がそれぞれ縫着された略三角形の鳩尾被覆片と、
前記下辺の中間点から下辺の外側端部に至る下辺脇側部分、及び鳩尾被覆片の底辺に対応して設けられた前身頃と、
前記下辺脇側部分及び鳩尾被覆片の底辺と、前身頃との間に配設され、上記下辺脇側部分及び鳩尾被覆片の底辺と、前身頃とにそれぞれ縫着されて両者を接続する伸縮性テープと、
前身頃に接続された後身頃又は掛止具付のベルトと、
カップと後身頃又はベルトに縫着された肩紐と、
左右のブラジャーの前面でカップの上辺から鳩尾被覆片の斜面にかけて交差して設けられ、長手方向に伸縮する上辺テープとで構成され、
前記左右の上辺テープは、前記交差部分において互いに縫着されており、
前記伸縮性テープは長手方向及び短手方向の両方に伸縮性を有することを特徴とする婦人下着。
【手続補正２】
【補正対象書類名】明細書
【補正対象項目名】００１４
【補正方法】変更
【補正の内容】
【００１４】
請求項１に記載した発明は、
左右一対のカップ１２と、
左右一対のカップ１２を内側端部で接続する接続部分Ｐ０からカップ１２の下辺１２ａの中間点Ｐ１に至る斜辺縫着部分１２ｅに、その斜辺１３ｂがそれぞれ縫着された略三角形の鳩尾被覆片１３と、
前記下辺１２ａの中間点Ｐ１から下辺１２ａの外側端部Ｐ２に至る下辺脇側部分１２ｄ、及び鳩尾被覆片１３の底辺１３ａに対応して設けられた前身頃１４と、
前記下辺脇側部分１２ｄ及び鳩尾被覆片１３の底辺１３ａと、前身頃１４との間に配設され、上記下辺脇側部分１２ｄ及び鳩尾被覆片１３の底辺１３ａと、前身頃１４とにそれぞれ縫着されて両者を接続する伸縮性テープ１７と、
前身頃１４に接続された後身頃１６又は掛止具付のベルト１６’と、
カップ１２」と後身頃１６又はベルト１６’に縫着された肩紐２０と、
左右のブラジャー１０の前面でカップ１２の上辺１２ｕから鳩尾被覆片１３の斜面１３ｂにかけて交差して設けられ、長手方向に伸縮する上辺テープ１９とで構成され、
前記左右の上辺テープ１９は、前記交差部分において互いに縫着されており、
前記伸縮性テープ１７は長手方向及び短手方向の両方に伸縮性を有することを特徴とする婦人下着である。
【手続補正３】
【補正対象書類名】明細書
【補正対象項目名】００１５
【補正方法】変更
【補正の内容】
【００１５】
上記構成において、長手方向及び短手方向の両方に伸縮性を有する伸縮性テープ１７の一部がカップ１２の下辺脇側部分１２ｄに逢着されているので、カップ１２に収納されたバストに対応して伸縮し、フィット性を高めると同時にこの部分のバージスラインＶに入り込むので、カップ１２のずり上がりを防止できた。これに加えて鳩尾被覆片１３の底辺１３ａに縫着されている伸縮性テープ１７が中間点Ｐ１に於いて左右カップ１２に接続されているので、カップ１２に収納されているバストを効果的に鳩尾方向に寄せることが出来た。
また、左右のブラジャー１０の前面でカップ１２の上辺１２ｕから鳩尾被覆片１３の斜面１３ｂにかけて交差して設けられ、長手方向に伸縮する上辺テープ１９が、前記交差部分において互いに縫着されており、鳩尾被覆片１３の斜辺１３ｂがカップ１２の斜辺縫着部分１２ｅにそれぞれ縫着されているので、肩紐２０による左右の肩方向への図１に示す引き上げ力Ｆ６の、前記斜辺１３ｂに発生する合成力Ｆ７によって鳩尾被覆片１３は上方に持ち上げられ、鳩尾方向に押しやられたバストＢｍは鳩尾被覆片１３によって上に持ち上げられる。この時、鳩尾被覆片１３の斜辺１３ｂは当該部分のバストＢｍ全体を変形させることなく持ち上げるため、従来にない自然なデコルテラインＤを形成させることが出来た。
【国際調査報告】
2018078673.tif 000012
2018078673.tif 000013